(57)【要約】乾燥領域（３）と、再生領域（５）と、該乾燥領域（３）と該再生領域（５）を連続的に移動する乾燥剤（８）を内部に有し且つハウジング（２）内で回転可能なドラム（９）とを備え、該再生領域（５）が、第１再生気流を供給するための第１入口を有する第１サブ領域（６）と、該第１再生気流よりも相対湿度が低い第２再生気流を供給するための第２入口を有する第２サブ領域（７）を備え、該乾燥領域（３）の出口が連結導管（１７）を介して該第２サブ領域に連結されている、圧縮気体乾燥器。【選択図】第２図
2013501604.tif 000002
【特許請求の範囲】
【請求項１】
乾燥領域（３）と再生領域（５）を内部に有するハウジング（２）と、該ハウジング（２）内で回転し且つ内部に再生可能な乾燥剤（８）を有するドラム（９）と、該乾燥剤（８）が該乾燥領域（３）と該再生領域（５）を連続的に通って動くように該ドラム（９）を回転させるための駆動手段とを備えた圧縮気体乾燥器において、該再生領域（５）が、少なくとも２つのサブ領域、すなわち、第１再生気流を供給するための第１入口を有する第１サブ領域（６）と、第１再生気流よりも相対湿度が低い第２再生気流を供給するための第２入口を有する第２サブ領域（７）とを備え、該乾燥領域（３）の出口が連結管（１７）を介して第２サブ領域（７）の第２入口に連結していることを特徴とする圧縮気体乾燥器。
【請求項２】
前記第２サブ領域（７）が前記再生領域（５）の後端部に位置していることを特徴とする請求項１に記載の乾燥器。
【請求項３】
前記再生領域（５）が略９０度の円周角に亘り、前記第２サブ領域（７）が５度と３０度の間の範囲にある円周角に亘っていることを特徴とする、先行する請求項のいずれか一つに記載の乾燥器。
【請求項４】
前記連結管（１７）に熱交換器（１８）を備えていることを特徴とする、先行する請求項のいずれか一つに記載の乾燥器。
【請求項５】
前記第１サブ領域（６）と前記第２サブ領域（７）が共通の出口を有することを特徴とする、先行する請求項のいずれか一つに記載の乾燥器。
【請求項６】
前記第１サブ領域（６）と前記第２サブ領域（７）の前記出口が、リターン導管を介して、乾燥すべき圧縮気体をアフタークーラー（１９）を介して前記乾燥領域（３）の入口に供給する圧力導管（１３）に、連結していることを特徴とする請求項５に記載の乾燥器。
【請求項７】
前記第２サブ領域（７）の第２入口における第２再生気流の温度が、前記第１サブ領域（６）の第１入口における第１再生気流の温度よりも高いか又は同じであることを特徴とする、先行する請求項のいずれか一つに記載の乾燥器。
【請求項８】
乾燥領域（３）と再生領域（５）を有するハウジング（２）と、該ハウジング（２）内で回転し且つ内部に乾燥剤（８）を有するドラム（９）を備え、該乾燥剤（８）が該乾燥領域（３）と該再生領域（５）を連続的に通って移動し、乾燥すべき圧縮気体が該乾燥領域（５）を通るように案内される一方、再生気体が該再生領域（５）を通るように案内される乾燥器を使用する、圧縮気体乾燥方法において、該再生領域が、第１再生気流を方向付ける第１サブ領域と、第２再生気流を方向付ける第２サブ領域とに分割され、そして該第２再生気流が該第１再生気流よりも低い相対湿度を有し、さらに該第２再生気流が前記乾燥領域（３）の出口を出て行く圧縮気体の一部からなる、ことを特徴とする乾燥方法。
【請求項９】
第２再生気流が、前記第２サブ領域（７）を通るように案内される前に、加熱されることを特徴とする請求項８に記載の乾燥方法。
【請求項１０】
前記第２再生気流が熱交換器（１８）及び／又は外部加熱要素等を通るように案内することによって、該第２再生気流を加熱することを特徴とする、請求項８又は９に記載の乾燥方法。
【請求項１１】
前記第１及び第２再生気流が前記第１サブ領域（６）と前記第２サブ領域（７）の共通の出口で集められ、その次に、リターン導管（１３）を通ってクーラー（１５）を経由するようにして前記乾燥領域（３）の入口へと案内されることを特徴とする、請求項８乃至１０のいずれか一つに記載の乾燥方法。
【請求項１２】
出口を有するコンプレッサと、乾燥領域（３）と再生領域（５）を内部に有するハウジング（２）と、該ハウジング（２）内で回転し且つ内部に再生可能な乾燥剤（８）を有するドラム（９）と、該ドラム（９）を回転させるための駆動手段とを備えることによって、該乾燥剤（８）が該乾燥領域（３）と該再生領域（５）を連続的に動くようにしたコンプレッサ装置において、該コンプレッサ（１１）の出口が圧力導管（１０）を介して前記乾燥領域の入口に連結し、該再生領域（５）が、少なくとも２つのサブ領域、すなわち第１再生気流を供給するための第１入口を有する第１サブ領域（６）と、該第１再生気流よりも相対湿度が低い第２再生気流を供給するための第２入口を有する第２サブ領域（７）を備え、枝管（１２）が、該コンプレッサ（１１）と該乾燥領域（３）の入口との間の前記圧力導管（１０）に連結し、該枝管（１２）が前記第１サブ領域（６）の第１入口に連結し、前記乾燥領域（３）の出口が連結導管（１７）を介して前記第２サブ領域（７）に連結していることを特徴とするコンプレッサ装置。
【請求項１３】
前記連結導管（１７）に熱交換器（１８）を備えていることを特徴とする、請求項１２に記載のコンプレッサ装置。
【請求項１４】
前記第１サブ領域（６）と前記第２サブ領域（７）が共通の出口を有することを特徴とする、請求項１２又は１３に記載のコンプレッサ装置。
【発明の詳細な説明】
【技術分野】
【０００１】
本発明は、乾燥器を備えたコンプレッサ装置に関するものである。
【０００２】
特に、本発明は、内部に再生可能な乾燥剤を有する回転式ドラムを備え、該乾燥剤が該ドラムの回転によって該乾燥器の２つの領域を交互に通るように移動させ、殊に、一方の領域である乾燥領域では該乾燥剤が圧縮気体を乾燥させるために用いられ、さらに他方の領域である再生領域では該乾燥剤を高温の気体に接触させることによって再生させるようにした乾燥器に関するものである。
【背景技術】
【０００３】
前記ドラムの回転によって、再生させた乾燥剤は乾燥領域に移動してくる。乾燥器の性能を向上させるためには、該ドラムの中に冷却領域として示した第３の領域を設けるのが適切であり、またそれが普通であり、該冷却領域は、該乾燥剤が実質的にさらなる水分を吸収することが出来るように、該乾燥剤を冷却するのである。
【０００４】
そのような乾燥器が、コンプレッサから流れてくる圧縮気体を乾燥するために用いられる時、該圧縮気体の一部は冷却され、その次に該乾燥器の乾燥領域を通るように案内されることによって、この乾燥領域内の乾燥剤は該気体から水分を抜き取る。この結果、低い圧力露点の乾燥気体となる。
【０００５】
前記コンプレッサから流れて来て該コンプレッサに起因する高温状態のままの圧縮気体の残りの部分は、該乾燥器の再生領域を通るように案内される。それによって、その高温の気体が該乾燥剤に含まれる水分を吸収するので、該乾燥剤は再生され、その次に新たなサイクルで、該圧縮気体を乾燥するための該乾燥領域において再び用いられる。
【０００６】
その欠点は、再生のために用いられる該圧縮気体が比較的高い湿度を有していることであり、そのため、乾燥効率は最大ではないことである。
【０００７】
上記のことは、該乾燥剤を次に該乾燥領域に送った時に、この乾燥剤が、該乾燥領域を通るように案内される気体のうち幾分限られた量の水分しか吸収することができない、という望ましくない結果をもたらす。
【０００８】
該圧縮気体の熱は、該再生領域で該乾燥剤を再生させるために用いられる。ここで、該圧縮気体の温度が上昇すると乾燥処理は向上し、それに伴って装置の効率も高まる、ということに注目すべきである。
【０００９】
再生に用いられる該圧縮気体の温度は、その気体が該再生領域を通る前に案内すべき加熱要素等を設けることによって上昇させることが出来る。
【００１０】
それの欠点は、値上がりし続けるエネルギーのコストを考えると、再生のために用いられる気流を加熱することに非常に費用が掛かることである。
【発明の概要】
【００１１】
本発明は上記及び／又はその他の欠点の１つ又はそれ以上を克服することを目的とするものである。
【００１２】
この目的のため、本発明は、内部に乾燥領域と再生領域を有するハウジングと、該ハウジング内で回転し且つ内部に再生可能な乾燥剤を有するドラムと、該乾燥剤が該乾燥領域と再生領域を連続的に通るように案内するために該ドラムを回転させる駆動手段とを備えた圧縮気体乾燥装置において、該再生領域が少なくとも２つの領域、すなわち、第１再生気流を供給するための第１入口を有する第１サブ領域と、該第１再生気流よりも相対湿度が低い第２再生気流を供給するための第２入口を有する第２サブ領域とを備え、該乾燥領域の出口が連結導管を介して該第２サブ領域の第２入口に連結していることを特徴とするものである。
【００１３】
本発明による乾燥器の有利な点は、第２サブ領域にある乾燥剤が、従来の方法で乾燥剤を再生させるために第１サブ領域を通って流れてくる気流に比べて水分含有量がかなり低い気流と接触することである。
【００１４】
その結果、再生段階にある間は、従来の方法よりも遥かに多くの水分を乾燥剤から取り除くことが出来る。別の表現をするならば、このようにして、ディープドライングと言うべき乾燥がなされるのであって、それは、さらなる乾燥段階で、乾燥剤が乾燥すべき気体からより多くの水分を吸収するようにしたものである。従って、本発明による乾燥器の性能は従来のものよりも向上しているのである。
【００１５】
本発明による乾燥器の一つの望ましい実施例によれば、前記連結導管に熱交換器を備えている。
【００１６】
その一つの有利な点は、前記第２再生気流が、前記第２サブ領域を通るように案内される前に、前記熱交換器によって加熱され、その結果として、該気流が該乾燥剤からより多くの水分を取り除くことが出来ることである。
【００１７】
再生に用いられる気流の温度が上昇すると、乾燥処理は向上し、それに伴って乾燥器の効率も向上する。
【００１８】
さらなる有利な点は、再生領域を通る全ての気流を加熱する必要はなく、該第２サブ領域を通るように案内された第２再生気流だけを加熱するだけで足りることである。
【００１９】
このことは幾つかの有利な効果をもたらす。なぜならば、比較的小型の熱交換器を用いることが出来るため、エネルギーの節約になり、また小型の装置を実現できるからである。
【００２０】
本発明はまた、乾燥領域と再生領域を有するハウジングと、該ハウジング内で回転し且つ内部に乾燥剤を有するドラムを備え、該乾燥剤が該乾燥領域と該再生領域を連続的に通って移動し、乾燥すべき圧縮気体が該乾燥領域を通るように案内される一方、再生気体が該再生領域を通るように案内されるようにした乾燥器を使用する、圧縮気体乾燥方法において、該再生領域が、第１再生気流を案内する第１サブ領域と、第２再生気流を案内する第２サブ領域とに分割され、そして該第２再生気流が該第１再生気流よりも低い相対湿度を有し、さらに該第２再生気流が、前記乾燥領域の出口を出て行く圧縮気体の一部からなるようにしたものである。
【００２１】
本発明は、さらに、出口を有するコンプレッサと、乾燥領域と再生領域を内部に有するハウジングと、該ハウジング内で回転し且つ内部に再生可能な乾燥剤を有するドラムと、該ドラムを回転させるための駆動手段とを備えることによって、該乾燥剤が該乾燥領域と該再生領域を連続的に動くようにしたコンプレッサ装置において、該コンプレッサの出口が圧力導管を介して前記乾燥領域の入口に連結し、該再生領域が、少なくとも２つのサブ領域、すなわち第１再生気流を供給するための第１入口を有する第１サブ領域と、該第１再生気流よりも相対湿度が低い第２再生気流を供給するための第２入口を有する第２サブ領域を備え、枝管が該コンプレッサと該乾燥領域の入口との間の前記圧力導管に連結し、さらに該枝管が前記第１サブ領域の第１入口に連結し、前記乾燥領域の出口が連結導管を介して前記第２サブ領域に連結するようにしたものである。
【図面の簡単な説明】
【００２２】
【図１】本発明による乾燥器の一部を模式的に斜視図で示す。
【図２】本発明による乾燥器を備えたコンプレッサ装置を模式的に示す。
【図３】本発明による乾燥器の一部のレイアウトを模式的に示す。
【発明を実施するための形態】
【００２３】
本発明の特徴をより良く説明するために、本発明による乾燥器及びコンプレッサ装置並びに圧縮気体の乾燥方法についての幾つかの望ましい実施例を、添付図面を参照しながら、いかなる限定もしないで、単なる例として以下に説明する。
【００２４】
図１は本発明による圧縮気体用乾燥器の一部１を示す。該乾燥器のその部分１には、乾燥領域３、冷却領域４及び再生領域５を内部に有するハウジング２を備えていて、本発明の特定の特徴によれば、該再生領域５は２つのサブ領域、すなわち、第１サブ領域６と第２サブ領域７をそれぞれ備えている。
【００２５】
前記第１サブ領域６が乾燥領域３の後端部分に繋がり、さらに前記第２サブ領域７が該第１サブ領域６に繋がっている一方、該乾燥領域３の開始部分に繋がる冷却領域４にも繋がっているのが望ましい。
【００２６】
それ故、前記第１サブ領域６は前記再生領域５の開始部分に位置している。別の表現をすれば、該乾燥器の操作中、該第１サブ領域６は、該水分乾燥剤８が乾燥領域３から該再生領域に入る正にその部分に位置している。さらに、第２サブ領域７は再生領域５の終了部分に位置している。言い換えるならば、該第２サブ領域７は、再生された乾燥剤８が再生領域５を出て冷却領域４に入る際に経由する該再生領域の中のその部分に位置している。
【００２７】
前記「乾燥領域３の後端部分とは、前記ドラム９の回転中、該水分乾燥剤８が乾燥領域３を出ていく際に経由する該乾燥領域３の中のその部分を意味し、一方、前記「乾燥領域３の開始部分」とは、新たに再生させた乾燥剤８が入ってくる乾燥領域３の中のその部分を意味する。
【００２８】
前記ハウジング２内に回転式ドラム９が設けられ、そのドラム９内に乾燥剤８が設けられている。
【００２９】
前記乾燥器１は、さらに、図面には示していない駆動手段を備えている。該駆動手段は、前記ドラム９の回転を可能にする、例えばモーターのように形成されたものであって、前記乾燥剤８が、前記乾燥領域３、前記再生領域５及び前記冷却領域４を連続的に通って動くようにするものである。
【００３０】
図２は、本発明によるコンプレッサ装置を示し、該装置は、前記の部分１に加えて、コンプレッサ１１の出口と乾燥領域３の入口とを連結する圧力導管１０を備えている。該コンプレッサ１１は、また、本発明による該コンプレッサ装置の一部を構成する。
【００３１】
コンプレッサ１１の出口と乾燥領域３の入口との間の圧力導管１０に、枝管１２が連結され、また該枝管は前記第１サブ領域６の第１入口に連結されている。
【００３２】
さらに、再生及び冷却のために用いられる気流のためのリターン配管１３が設けられている。該リターン配管は、前記再生領域５の前記第１及び第２サブ領域と前記冷却領域４との共通の出口を、前記圧力導管１０に連結するものであり、該圧力導管１０に設けたベンチュリ管１４に隣接した位置に連結されることになる。このリターン導管１３にはクーラー１５が設けられている。
【００３３】
前記乾燥領域３の出口には、一方において、乾燥させた気体をさらなる用途に用いるために排出する取り出しポイント１６を備え、他方において、乾燥させた気体の一部を、熱交換器１８の第２の側を通るように案内し且つその次に前記再生領域５の第２サブ領域７を通るように案内するための連結導管１７を備えている。
【００３４】
前記圧力導管１０には、コンプレッサ１１とベンチュリ管１４との間においてアフタークーラー１９が設けられている。
【００３５】
本発明による圧縮気体の乾燥方法は非常に単純であり、下記の通りである。
【００３６】
図面において、気体の流れる方向が示されている。矢印Ａは、主流が前記乾燥器の乾燥領域３を通って流れる方向を示している。残りの気体が再生領域と冷却領域を通って流れる方向は、その例に示した通り、矢印Ｂ、Ｄ及びＥによって示したように、主流の流れる方向Ａとは反対向きになっている。矢印Ｃは前記乾燥器のハウジング２内のドラム９の回転方向を示している。
【００３７】
コンプレッサ１１から流れてくる乾燥すべき気体又は少なくともその気体のかなりの部分は主流として、アフタークーラー１９を通る経路の後、乾燥領域３内にある乾燥剤８を通って乾燥領域３の出口へと流れる。乾燥剤８と接触することによって、水分が乾燥剤８に吸収される。このように乾燥させた気体は、取り出しポイント１６を経由して、下流に位置する消費ネットワークへと排出される。
【００３８】
前記ドラム９は、水分を含んだ乾燥剤８を再生領域５の第1サブ領域６に移動させ、そこでこの乾燥剤８を、コンプレッサ１１の出口から枝管１２を介して供給される高温の圧縮気体の状態にある第1再生気流に接触させることによって、乾燥剤８の水分を取り除き、そのようにして、前記第1再生領域内にある圧縮熱を利用した乾燥剤８の第1再生を達成する。
【００３９】
本発明の特別の特徴によれば、前記乾燥剤８が前記再生領域を通る動きの最後に、再生領域5の第2サブ領域７において、この乾燥剤８を、該第1再生気流よりも相対湿度が低い第2再生気流に接触させることによって、それまでに乾燥出来た量よりもさらに乾燥させるのである。
【００４０】
この目的のため、この場合の第2再生気流は、乾燥領域３を出ていく乾燥気体から分岐させた気体であって、それを第2サブ領域７の入口を経由してサブ領域５に供給する前に、この気体に含まれる水分の部分的圧力を下げるために加熱する熱交換器１８の第2の側を通るように案内した気体から成る。
【００４１】
このようにして、比較的に低水分量の高温乾燥気体を利用することによって該乾燥剤８を該再生領域５の第2サブ領域７で再度乾燥させるので、乾燥剤８に含まれる水分は再生中に相当減少する。このことは本発明による乾燥器及び方法の最も重要な利点である。
【００４２】
ドラム9が回転している間、該乾燥剤８が、冷却領域で先ず冷却され、吸収した水分が除かれた後、乾燥領域３に達するまで水分が取り除かれ続け、そのようにして再生させた乾燥剤8は乾燥領域３における次の乾燥サイクルで用いることができるのである。
【００４３】
そのように、前記乾燥剤８は、連続的又は非連続的な回転の動きで、該乾燥領域３とその次の該再生領域５に交互に案内される。
【００４４】
本発明によれば、該乾燥剤８が該乾燥領域３内の主流と接触する前に、乾燥させた主流の一部が、再生領域５と乾燥領域３との間の移行区域にある冷却領域４において、高温の再生させた乾燥剤８を冷却するために用いられるのが適切である。
【００４５】
そのような冷却領域４を設けたことの有利な点は、結局、前記主流が、水分を吸収できず湿気のある気体を乾燥器１から漏らしてしまうような高温の乾燥剤８と接触することがないということである。
【００４６】
ベンチュリ管１４を設けてあることにより、公知の方法で局所的な圧力低下がなされ、それによって、再生領域５の出口は、前記ドラム９の中で反対側に位置する乾燥領域３の出口よりも低圧を維持する。その結果、乾燥領域３の出口から流れてくる冷却主流の一部は、乾燥領域３と再生領域５の間に位置する冷却領域４を通って、再生領域５の出口の方へ流れる。
【００４７】
この気流を冷却領域４を通るように案内することによって、高温の再生させた乾燥剤８は、前記主流を乾燥するのに用いられる前に、効果的に冷却される。
【００４８】
上記の、より低い圧力によって、さらに、乾燥領域３から流れて来る気体が前記熱交換器１８を通って前記第2サブ領域７の方に流れるように案内される。その流れは、正しい位置、すなわち動圧力が最低の位置で乾燥気体を取り出すことによって特に可能になる。よって、このシステムには送風機は必要ないのである。
【００４９】
前記乾燥剤8の再生及び冷却に用いられる気体は、それぞれの領域を通って流れた後、集められ、クーラー１５によって冷却される。その後、この気体は、次に該乾燥領域３を通って案内されることになっている主流に加えられる。
【００５０】
図3は、本発明による乾燥器の部分１の模式的なレイアウトの例であり、それぞれの区分又は領域を示したものである。
【００５１】
この図は、特に、再生領域５がどのように２つのサブ領域６及び7に分割されているかを示し、この場合は、該再生領域５は略９０度の円周角に亘っている。
【００５２】
この場合に、該第１サブ領域６は７５度の角度に亘っている一方、この例では該第２サブ領域７は５度から３０度の範囲の角度に亘っていて、この場合は略１５度の角度に亘っている。
【００５３】
この例では、乾燥領域３は２５５度の円区画を構成する一方、残りの第２サブ領域７と乾燥領域３の間の１５度の部分は、前記乾燥器の円筒形ハウジング２内に冷却領域４を形成する。
【００５４】
その図に示した意味合いから、前記ドラム９内の幾つかのそれぞれの領域は通り抜けられるのが望ましいのは明白である。
【００５５】
前記第２再生気流が、添付図面には示していない加熱要素等を通るように案内することによって、該第２再生流もまた加熱することができるということは明白である。
【００５６】
前記第２サブ領域７を通るように案内される気体は、必ずしも該乾燥器それ自身から来なければならないというものではなく、乾燥気体の外部の源から来るものであってもよい。
【００５７】
本発明は、例として明細書に記載し図面に描いた実施例に決して限定されるものではなく、本発明による乾燥器及びコンプレッサ装置並びに圧縮気体乾燥方法は、発明の範囲から逸脱することなく様々なやり方で実現することができる。
【図１】
2013501604.tif 000003
【図２】
2013501604.tif 000004
【図３】
2013501604.tif 000005
【手続補正書】
【提出日】平成23年6月1日(2011.6.1)
【手続補正１】
【補正対象書類名】明細書
【補正対象項目名】全文
【補正方法】変更
【補正の内容】
【発明の詳細な説明】
【技術分野】
【０００１】
本発明は、乾燥器を備えたコンプレッサ装置に関するものである。
【０００２】
特に、本発明は、内部に再生可能な乾燥剤を有する回転式ドラムを備え、該乾燥剤が該ドラムの回転によって該乾燥器の２つの領域を交互に通るように移動させ、殊に、一方の領域である乾燥領域では該乾燥剤が圧縮気体を乾燥させるために用いられ、さらに他方の領域である再生領域では該乾燥剤を高温の気体に接触させることによって再生させるようにした乾燥器に関するものである。
【背景技術】
【０００３】
前記ドラムの回転によって、再生させた乾燥剤は乾燥領域に移動してくる。乾燥器の性能を向上させるためには、該ドラムの中に冷却領域として示した第３の領域を設けるのが適切であり、またそれが普通であり、該冷却領域は、該乾燥剤が実質的にさらなる水分を吸収することが出来るように、該乾燥剤を冷却するのである。
【０００４】
そのような乾燥器が、コンプレッサから流れてくる圧縮気体を乾燥するために用いられる時、該圧縮気体の一部は冷却され、その次に該乾燥器の乾燥領域を通るように案内されることによって、この乾燥領域内の乾燥剤は該気体から水分を抜き取る。この結果、低い圧力露点の乾燥気体となる。
【０００５】
前記コンプレッサから流れて来て該コンプレッサに起因する高温状態のままの圧縮気体の残りの部分は、該乾燥器の再生領域を通るように案内される。それによって、その高温の気体が該乾燥剤に含まれる水分を吸収するので、該乾燥剤は再生され、その次に新たなサイクルで、該圧縮気体を乾燥するための該乾燥領域において再び用いられる。
【０００６】
その欠点は、再生のために用いられる該圧縮気体が比較的高い湿度を有していることであり、そのため、乾燥効率は最大ではないことである。
【０００７】
上記のことは、該乾燥剤を次に該乾燥領域に送った時に、この乾燥剤が、該乾燥領域を通るように案内される気体のうち幾分限られた量の水分しか吸収することができない、という望ましくない結果をもたらす。
【０００８】
該圧縮気体の熱は、該再生領域で該乾燥剤を再生させるために用いられる。ここで、該圧縮気体の温度が上昇すると乾燥処理は向上し、それに伴って装置の効率も高まる、ということに注目すべきである。
【０００９】
再生に用いられる該圧縮気体の温度は、その気体が該再生領域を通る前に案内すべき加熱要素等を設けることによって上昇させることが出来る。
【００１０】
それの欠点は、値上がりし続けるエネルギーのコストを考えると、再生のために用いられる気流を加熱することに非常に費用が掛かることである。
【発明の概要】
【００１１】
本発明は上記及び／又はその他の欠点の１つ又はそれ以上を克服することを目的とするものである。
【００１２】
この目的のため、本発明は、出口を有するコンプレッサと、乾燥領域と再生領域を内部に有するハウジングと、該ハウジング内で回転自在であって且つ内部に再生可能な乾燥剤を有するドラムと、該ドラムを回転させるための駆動手段とを備えることによって、該乾燥剤が該乾燥領域と該再生領域を連続的に動くようにしたコンプレッサ装置において、該コンプレッサの出口が圧力導管を介して前記乾燥領域の入口に連結し、該再生領域が、少なくとも２つのサブ領域、すなわち第１再生気流を供給するための第１入口を有する第１サブ領域と、第２再生気流を供給するための第２入口を有する第２サブ領域を備え、枝管が該コンプレッサと該乾燥領域の入口との間の前記圧力導管に連結し、さらに該枝管が前記第１サブ領域の第１入口に連結し、前記乾燥領域の出口が連結導管を介して前記第２サブ領域に連結していることによって、該第２再生気流が該第１再生気流よりも相対湿度が低い、コンプレッサ装置に関するものである。
【００１３】
本発明による乾燥器の有利な点は、第２サブ領域にある乾燥剤が、従来の方法で乾燥剤を再生させるために第１サブ領域を通って流れてくる気流に比べて水分含有量がかなり低い気流と接触することである。
【００１４】
その結果、再生段階にある間は、従来の方法よりも遥かに多くの水分を乾燥剤から取り除くことが出来る。別の表現をするならば、このようにして、ディープドライングと言うべき乾燥がなされるのであって、それは、さらなる乾燥段階で、乾燥剤が乾燥すべき気体からより多くの水分を吸収するようにしたものである。従って、本発明による乾燥器の性能は従来のものよりも向上しているのである。
【００１５】
本発明による乾燥器の一つの望ましい実施例によれば、前記連結導管に熱交換器を備えている。
【００１６】
その一つの有利な点は、前記第２再生気流が、前記第２サブ領域を通るように案内される前に、前記熱交換器によって加熱され、その結果として、該気流が該乾燥剤からより多くの水分を取り除くことが出来ることである。
【００１７】
再生に用いられる気流の温度が上昇すると、乾燥処理は向上し、それに伴って乾燥器の効率も向上する。
【００１８】
さらなる有利な点は、再生領域を通る全ての気流を加熱する必要はなく、該第２サブ領域を通るように案内された第２再生気流だけを加熱するだけで足りることである。
【００１９】
このことは幾つかの有利な効果をもたらす。なぜならば、比較的小型の熱交換器を用いることが出来るため、エネルギーの節約になり、また小型の装置を実現できるからである。
【００２０】
本発明はまた、乾燥領域と再生領域を有するハウジングと、該ハウジング内で回転し且つ内部に乾燥剤を有するドラムを備え、該乾燥剤が該乾燥領域と該再生領域を連続的に通って移動し、乾燥すべき圧縮気体が該乾燥領域を通るように案内される一方、再生気体が該再生領域を通るように案内される乾燥器を使用する、コンプレッサの出口から流れてくる圧縮気体の乾燥方法において、該再生領域が、該コンプレッサの出口から流れてくる高温の圧縮気体の状態にある第１再生気流を案内する第１サブ領域と、第２再生気流を案内する第２サブ領域とに分割され、そして該第２再生気流が該第１再生気流よりも低い相対湿度を有し、さらに該第２再生気流が、前記乾燥領域の出口を出て行く圧縮気体の一部からなる、乾燥方法に関するものである。
【図面の簡単な説明】
【００２１】
【図１】本発明による乾燥器の一部を模式的に斜視図で示す。
【図２】本発明による乾燥器を備えたコンプレッサ装置を模式的に示す。
【図３】本発明による乾燥器の一部のレイアウトを模式的に示す。
【発明を実施するための形態】
【００２２】
本発明の特徴をより良く説明するために、本発明による乾燥器及びコンプレッサ装置並びに圧縮気体の乾燥方法についての幾つかの望ましい実施例を、添付図面を参照しながら、いかなる限定もしないで、単なる例として以下に説明する。
【００２３】
図１は本発明による圧縮気体用コンプレッサ装置の乾燥器の一部１を示す。該乾燥器のその部分１には、乾燥領域３、冷却領域４及び再生領域５を内部に有するハウジング２を備えていて、本発明の特定の特徴によれば、該再生領域５は２つのサブ領域、すなわち、第１サブ領域６と第２サブ領域７をそれぞれ備えている。
【００２４】
前記第１サブ領域６が乾燥領域３の後端部分に繋がり、さらに前記第２サブ領域７が該第１サブ領域６に繋がっている一方、該乾燥領域３の開始部分に繋がる冷却領域４にも繋がっているのが望ましい。
【００２５】
それ故、前記第１サブ領域６は前記再生領域５の開始部分に位置している。別の表現をすれば、該乾燥器の操作中、該第１サブ領域６は、該水分乾燥剤８が乾燥領域３から該再生領域に入る正にその部分に位置している。さらに、第２サブ領域７は再生領域５の終了部分に位置している。言い換えるならば、該第２サブ領域７は、再生された乾燥剤８が再生領域５を出て冷却領域４に入る際に経由する該再生領域の中のその部分に位置している。
【００２６】
前記「乾燥領域３の後端部分とは、前記ドラム９の回転中、該水分乾燥剤８が乾燥領域３を出ていく際に経由する該乾燥領域３の中のその部分を意味し、一方、前記「乾燥領域３の開始部分」とは、新たに再生させた乾燥剤８が入ってくる乾燥領域３の中のその部分を意味する。
【００２７】
前記ハウジング２内に回転式ドラム９が設けられ、そのドラム９内に乾燥剤８が設けられている。
【００２８】
前記乾燥器１は、さらに、図面には示していない駆動手段を備えている。該駆動手段は、前記ドラム９の回転を可能にする、例えばモーターのように形成されたものであって、前記乾燥剤８が、前記乾燥領域３、前記再生領域５及び前記冷却領域４を連続的に通って動くようにするものである。
【００２９】
図２は、本発明によるコンプレッサ装置を示し、該装置は、前記の部分１に加えて、コンプレッサ１１の出口と乾燥領域３の入口とを連結する圧力導管１０を備えている。該コンプレッサ１１は、また、本発明による該コンプレッサ装置の一部を構成する。
【００３０】
コンプレッサ１１の出口と乾燥領域３の入口との間の圧力導管１０に、枝管１２が連結され、該枝管は前記第１サブ領域６の第１入口に連結されている。
【００３１】
さらに、再生及び冷却のために用いられる気流のためのリターン配管１３が設けられている。該リターン配管は、前記再生領域５の前記第１及び第２サブ領域と前記冷却領域４との共通の出口を、前記圧力導管１０に連結するものであり、該圧力導管１０に設けたベンチュリ管１４に隣接した位置に連結されることになる。このリターン導管１３にはクーラー１５が設けられている。
【００３２】
前記乾燥領域３の出口には、一方において、乾燥させた気体をさらなる用途に用いるために排出する取り出しポイント１６を備え、他方において、乾燥させた気体の一部を、熱交換器１８の第２の側を通るように案内し且つその次に前記再生領域５の第２サブ領域７を通るように案内するための連結導管１７を備えている。
【００３３】
前記圧力導管１０には、コンプレッサ１１とベンチュリ管１４との間においてアフタークーラー１９が設けられている。
【００３４】
本発明による圧縮気体の乾燥方法は非常に単純であり、下記の通りである。
【００３５】
図面において、気体の流れる方向が示されている。矢印Ａは、主流が前記乾燥器の乾燥領域３を通って流れる方向を示している。残りの気体が再生領域と冷却領域を通って流れる方向は、その例に示した通り、矢印Ｂ、Ｄ及びＥによって示したように、主流の流れる方向Ａとは反対向きになっている。矢印Ｃは前記乾燥器のハウジング２内のドラム９の回転方向を示している。
【００３６】
コンプレッサ１１から流れてくる乾燥すべき気体又は少なくともその気体のかなりの部分は主流として、アフタークーラー１９を通る経路の後、乾燥領域３内にある乾燥剤８を通って乾燥領域３の出口へと流れる。乾燥剤８と接触することによって、水分が乾燥剤８に吸収される。このように乾燥させた気体は、取り出しポイント１６を経由して、下流に位置する消費ネットワークへと排出される。
【００３７】
前記ドラム９は、水分を含んだ乾燥剤８を再生領域５の第1サブ領域６に移動させ、そこでこの乾燥剤８を、コンプレッサ１１の出口から枝管１２を介して供給される高温の圧縮気体の状態にある第1再生気流に接触させることによって、乾燥剤８の水分を取り除き、そのようにして、前記第1再生領域内にある圧縮熱を利用した乾燥剤８の第1再生を達成する。
【００３８】
本発明の特別の特徴によれば、前記乾燥剤８が前記再生領域を通る動きの最後に、再生領域5の第2サブ領域７において、この乾燥剤８を、該第1再生気流よりも相対湿度が低い第2再生気流に接触させることによって、それまでに乾燥出来た量よりもさらに乾燥させるのである。
【００３９】
この目的のため、この場合の第2再生気流は、乾燥領域３を出ていく乾燥気体から分岐させた気体であって、それを第2サブ領域７の入口を経由してサブ領域５に供給する前に、この気体に含まれる水分の部分的圧力を下げるために加熱する熱交換器１８の第2の側を通るように案内した気体から成る。
【００４０】
このようにして、比較的に低水分量の高温乾燥気体を利用することによって該乾燥剤８を該再生領域５の第2サブ領域７で再度乾燥させるので、乾燥剤８に含まれる水分は再生中に相当減少する。このことは本発明による乾燥器及び方法の最も重要な利点である。
【００４１】
ドラム9が回転している間、該乾燥剤８が、冷却領域で先ず冷却され、吸収した水分が除かれた後、乾燥領域３に達するまで水分が取り除かれ続け、そのようにして再生させた乾燥剤8は乾燥領域３における次の乾燥サイクルで用いることができるのである。
【００４２】
そのように、前記乾燥剤８は、連続的又は非連続的な回転の動きで、該乾燥領域３とその次の該再生領域５に交互に案内される。
【００４３】
本発明によれば、該乾燥剤８が該乾燥領域３内の主流と接触する前に、乾燥させた主流の一部が、再生領域５と乾燥領域３との間の移行区域にある冷却領域４において、高温の再生させた乾燥剤８を冷却するために用いられるのが適切である。
【００４４】
そのような冷却領域４を設けたことの有利な点は、結局、前記主流が、水分を吸収できず湿気のある気体を乾燥器１から漏らしてしまうような高温の乾燥剤８と接触することがないということである。
【００４５】
ベンチュリ管１４を設けてあることにより、公知の方法で局所的な圧力低下がなされ、それによって、再生領域５の出口は、前記ドラム９の中で反対側に位置する乾燥領域３の出口よりも低圧を維持する。その結果、乾燥領域３の出口から流れてくる冷却主流の一部は、乾燥領域３と再生領域５の間に位置する冷却領域４を通って、再生領域５の出口の方へ流れる。
【００４６】
この気流を冷却領域４を通るように案内することによって、高温の再生させた乾燥剤８は、前記主流を乾燥するのに用いられる前に、効果的に冷却される。
【００４７】
上記の、より低い圧力によって、さらに、乾燥領域３から流れて来る気体が前記熱交換器１８を通って前記第2サブ領域７の方に流れるように案内される。その流れは、正しい位置、すなわち動圧力が最低の位置で乾燥気体を取り出すことによって特に可能になる。よって、このシステムには送風機は必要ないのである。
【００４８】
前記乾燥剤8の再生及び冷却に用いられる気体は、それぞれの領域を通って流れた後、集められ、クーラー１５によって冷却される。その後、この気体は、次に該乾燥領域３を通って案内されることになっている主流に加えられる。
【００４９】
図3は、本発明による乾燥器の部分１の模式的なレイアウトの例であり、それぞれの区分又は領域を示したものである。
【００５０】
この図は、特に、再生領域５がどのように２つのサブ領域６及び7に分割されているかを示し、この場合は、該再生領域５は略９０度の円周角に亘っている。
【００５１】
この場合に、該第１サブ領域６は７５度の角度に亘っている一方、この例では該第２サブ領域７は５度から３０度の範囲の角度に亘っていて、この場合は略１５度の角度に亘っている。
【００５２】
この例では、乾燥領域３は２５５度の円区画を構成する一方、残りの第２サブ領域７と乾燥領域３の間の１５度の部分は、前記乾燥器の円筒形ハウジング２内に冷却領域４を形成する。
【００５３】
その図に示した意味合いから、前記ドラム９内の幾つかのそれぞれの領域は通り抜けられるのが望ましいのは明白である。
【００５４】
前記第２再生気流が、添付図面には示していない加熱要素等を通るように案内することによって、該第２再生流もまた加熱することができるということは明白である。
【００５５】
前記第２サブ領域７を通るように案内される気体は、必ずしも該乾燥器それ自身から来なければならないというものではなく、乾燥気体の外部の源から来るものであってもよい。
【００５６】
本発明は、例として明細書に記載し図面に描いた実施例に決して限定されるものではなく、本発明による乾燥器及びコンプレッサ装置並びに圧縮気体乾燥方法は、発明の範囲から逸脱することなく様々なやり方で実現することができる。
【手続補正２】
【補正対象書類名】特許請求の範囲
【補正対象項目名】全文
【補正方法】変更
【補正の内容】
【特許請求の範囲】
【請求項１】
乾燥領域（３）と再生領域（５）を有するハウジング（２）と、該ハウジング（２）内で回転し且つ内部に乾燥剤（８）を有するドラム（９）を備え、該乾燥剤（８）が該乾燥領域（３）と該再生領域（５）を連続的に通って移動し、乾燥すべき圧縮気体が該乾燥領域（５）を通るように案内される一方、再生気体が該再生領域（５）を通るように案内される乾燥器を使用する、コンプレッサの出口から流れてくる圧縮気体の乾燥方法において、該再生領域が、該コンプレッサの出口から流れてくる高温の圧縮気体の状態にある第１再生気流を案内する第１サブ領域と、第２再生気流を案内する第２サブ領域とに分割され、そして該第２再生気流が該第１再生気流よりも低い相対湿度を有し、さらに該第２再生気流が前記乾燥領域（３）の出口を出て行く圧縮気体の一部からなる、ことを特徴とする乾燥方法。
【請求項２】
第２再生気流が、前記第２サブ領域（７）を通るように案内される前に、加熱されることを特徴とする請求項１に記載の乾燥方法。
【請求項３】
前記第２再生気流が熱交換器（１８）及び／又は外部加熱要素等を通るように案内することによって、該第２再生気流を加熱することを特徴とする、請求項１又は２に記載の乾燥方法。
【請求項４】
前記第１及び第２再生気流が前記第１サブ領域（６）と前記第２サブ領域（７）の共通の出口で集められ、その次に、リターン導管（１３）を通ってクーラー（１５）を経由するようにして前記乾燥領域（３）の入口へと案内されることを特徴とする、請求項１乃至３のいずれか一つに記載の乾燥方法。
【請求項５】
出口を有するコンプレッサと、乾燥領域（３）と再生領域（５）を内部に有するハウジング（２）と、該ハウジング（２）内で回転自在であって且つ内部に再生可能な乾燥剤（８）を有するドラム（９）と、該ドラム（９）を回転させるための駆動手段とを備えることによって、該乾燥剤（８）が該乾燥領域（３）と該再生領域（５）を連続的に動くようにしたコンプレッサ装置において、該コンプレッサ（１１）の出口が圧力導管（１０）を介して前記乾燥領域の入口に連結し、該再生領域（５）が、少なくとも２つのサブ領域、すなわち第１再生気流を供給するための第１入口を有する第１サブ領域（６）と、第２再生気流を供給するための第２入口を有する第２サブ領域（７）を備え、枝管（１２）が該コンプレッサ（１１）と該乾燥領域（３）の入口との間の前記圧力導管（１０）に連結し、さらに該枝管（１２）が前記第１サブ領域（６）の第１入口に連結し、前記乾燥領域（３）の出口が連結導管（１７）を介して前記第２サブ領域（７）に連結していることによって、該第２再生気流が該第１再生気流よりも相対湿度が低い、ことを特徴とするコンプレッサ装置。
【請求項６】
前記連結導管（１７）に熱交換器（１８）を備えていることを特徴とする、請求項５に記載のコンプレッサ装置。
【請求項７】
前記第１サブ領域（６）と前記第２サブ領域（７）が共通の出口を有することを特徴とする、請求項５又は６に記載のコンプレッサ装置。
【国際調査報告】
2013501604.tif 000006
2013501604.tif 000007
2013501604.tif 000008